(57)【要約】【課題】無線リソース不足となった場合に、再送要求を調整して無線リソース割当を行うことを図る。【解決手段】無線端末との間で無線通信する無線基地局において、無線端末へＰＨＹパケットを送信するときに利用可能な無線リソースを管理する無線リソース管理部２２と、無線端末へ再送する再送待ちＰＨＹパケットを管理する送信パケット管理部２３と、無線リソースが不足する場合に、再送待ちＰＨＹパケットに対して選択的に無線リソースを割り当てる無線送信制御部２１と、を備える。【選択図】図３
2010056754.tif 000002
【特許請求の範囲】
【請求項１】
無線端末との間で無線通信する無線基地局において、
無線端末へデータを送信するときに利用可能な無線リソースを管理する無線リソース管理部と、
無線端末へ再送する再送待ちデータを管理する再送待ちデータ管理部と、
無線リソースが不足する場合に、再送待ちデータに対して選択的に無線リソースを割り当てる無線送信制御部と、
を備えたことを特徴とする無線基地局。
【請求項２】
前記再送待ちデータ管理部は、再送待ちデータに係るＱｏＳクラスの情報を記憶し、
前記無線送信制御部は、より高品質のＱｏＳクラスの再送待ちデータから順に、無線リソース割当を試みる、
ことを特徴とする請求項１に記載の無線基地局。
【請求項３】
前記再送待ちデータ管理部は、再送待ちデータのデータ量の情報を記憶し、
前記無線送信制御部は、データ量の少ない再送待ちデータから順に、無線リソース割当を試みる、
ことを特徴とする請求項１に記載の無線基地局。
【請求項４】
前記再送待ちデータ管理部は、再送待ちデータに係るＭＣＳの情報を記憶し、
前記無線送信制御部は、無線リソースが不足する再送待ちデータに対し、ＭＣＳの高速化を行って無線リソース割当を試みる、
ことを特徴とする請求項２又は請求項３に記載の無線基地局。
【請求項５】
前記再送待ちデータ管理部は、再送待ちデータに係る再送遅延の情報を記憶し、
前記無線送信制御部は、無線リソースが不足する再送待ちデータに対し、再送遅延を更新して再送時刻を延期する、
ことを特徴とする請求項４に記載の無線基地局。
【請求項６】
無線端末との間で無線通信する無線基地局における無線リソース割当方法であって、
無線端末へデータを送信するときに利用可能な無線リソースのリソース量を計算するステップと、
無線端末へ再送する再送待ちデータに必要なリソース量を計算するステップと、
無線リソースが不足する場合に、再送待ちデータに対して選択的に無線リソースを割り当てるステップと、
を含むことを特徴とする無線リソース割当方法。
【請求項７】
ＱｏＳクラスに基づいて再送待ちデータに順位を付けるステップをさらに含み、
より高品質のＱｏＳクラスの再送待ちデータから順に、無線リソース割当を試みることを特徴とする請求項６に記載の無線リソース割当方法。
【請求項８】
データ量に基づいて再送待ちデータに順位を付けるステップをさらに含み、
データ量の少ない再送待ちデータから順に、無線リソース割当を試みることを特徴とする請求項６に記載の無線リソース割当方法。
【請求項９】
無線リソースが不足する再送待ちデータに対し、ＭＣＳの高速化を行って無線リソース割当を試みるステップをさらに含むことを特徴とする請求項７又は請求項８に記載の無線リソース割当方法。
【請求項１０】
無線リソースが不足する再送待ちデータに対し、再送遅延を更新して再送時刻を延期するステップをさらに含むことを特徴とする請求項９に記載の無線リソース割当方法。
【発明の詳細な説明】
【技術分野】
【０００１】
本発明は、無線基地局及び無線リソース割当方法に関する。
【背景技術】
【０００２】
無線通信では、物理層における無線伝播環境や干渉の影響により特性が大きく変化するため、その影響を一つ上のレイヤであるデータリンク層の無線リソース割当機能（スケジューリング機能）で吸収することが効果的である。例えば、非特許文献１では、ＯＦＤＭＡ（Orthogonal Frequency Division Multiple Access：直交周波数分割多元接続）システムの下りリンク（基地局から端末方向のリンク）における物理層・データリンク層の情報を利用した無線リソース割当（スケジューリング）手法が提案されている。この手法では、システムスループット、ユーザ間の公平性を維持しながらデータリンク層のキュー状態情報に基づいたプロポーショナルフェアネススケジューリングにより無線リソース割当が行われる。
【非特許文献１】“A new cross layer proportional fairness packet schedulingin the downlink of OFDM wireless system”, Proc IEEE ICC, 2007, pp. 5695〜5700,June 2007.
【発明の開示】
【発明が解決しようとする課題】
【０００３】
しかしながら、非特許文献１に記載された技術では、物理層における再送に関する以下の問題がある。
【０００４】
図８は、無線通信システムの物理層における再送遅延を説明するための概念図である。図８には、物理層の伝送フレーム（以下、ＰＨＹフレームと称する）が、上りリンク（端末から基地局方向のリンク）と下りリンクで時間的に対応付けて示されている。図８において、まず、１番ＰＨＹフレームにより無線基地局から無線端末へ初回送信された送信データＦＬ０に対する否定応答信号ＮＡＣＫ０が、６番ＰＨＹフレームで無線端末から無線基地局へ返信されている。この応答遅延はＰＨＹフレームの５個分の時間である。応答遅延は、データの送信時点から応答信号（肯定応答信号（ＡＣＫ）又は否定応答信号（ＮＡＣＫ）の受信時点までの時間である。次いで、その否定応答信号ＮＡＣＫ０の受信時点からＰＨＹフレームの３個分の時間の再送遅延をもって、再送１回目の再送データＦＬ１が９番ＰＨＹフレームにより無線基地局から無線端末へ送信されている。再送遅延は、否定応答信号（ＮＡＣＫ）の受信時点から再送データの送信時点までの時間である。次いで、再送データＦＬ１に対する否定応答信号ＮＡＣＫ１が、ＰＨＹフレームの５個分の時間の応答遅延をもって、１４番ＰＨＹフレームで無線端末から無線基地局へ返信されている。次いで、その否定応答信号ＮＡＣＫ１の受信時点からＰＨＹフレームの３個分の時間の再送遅延をもって、再送２回目の再送データＦＬ２が１７番ＰＨＹフレームにより無線基地局から無線端末へ送信されている。次いで、再送データＦＬ２に対する肯定応答信号ＡＣＫ２が、ＰＨＹフレームの５個分の時間の応答遅延をもって、２２番ＰＨＹフレームで無線端末から無線基地局へ返信されている。無線基地局は、肯定応答信号（ＡＣＫ）が受信されるか、又は、最大再送回数に達するまで、再送を繰り返す。そして、無線基地局は、肯定応答信号（ＡＣＫ）が受信された場合、又は、最大再送回数に達した場合に、当該送信データの送信処理を完了する。図８に示されるように、応答信号の返信や再送データの送信には、ハードウェアの制約条件などにより、ある程度の時間（応答遅延、再送遅延）が必要である。
【０００５】
無線基地局では、下りリンクにおいてＰＨＹフレームごとに、どの無線端末宛ての送信データに無線リソースを割り当てるのかを再送データ優先で決定するが、再送遅延が可変の場合、あるＰＨＹフレームに再送要求が集中し、無線リソース不足に陥る可能性がある。例えば、無線伝搬環境は無線端末ごとに異なるので、無線端末で受信が成功するまでに再送する回数は無線端末ごとに異なる場合があるために、再送遅延が可変の場合、あるＰＨＹフレームに再送要求が集中する事態が起こり得る。このため、無線基地局において、無線リソース不足となった場合に、再送要求を調整することが課題である。
【０００６】
本発明は、このような事情を考慮してなされたもので、その目的は、無線リソース不足となった場合に、再送要求を調整して無線リソース割当を行うことのできる無線基地局及び無線リソース割当方法を提供することにある。
【課題を解決するための手段】
【０００７】
上記の課題を解決するために、本発明に係る無線基地局は、無線端末との間で無線通信する無線基地局において、無線端末へデータを送信するときに利用可能な無線リソースを管理する無線リソース管理部と、無線端末へ再送する再送待ちデータを管理する再送待ちデータ管理部と、無線リソースが不足する場合に、再送待ちデータに対して選択的に無線リソースを割り当てる無線送信制御部と、を備えたことを特徴とする。
【０００８】
本発明に係る無線基地局においては、前記再送待ちデータ管理部は、再送待ちデータに係るＱｏＳクラスの情報を記憶し、前記無線送信制御部は、より高品質のＱｏＳクラスの再送待ちデータから順に、無線リソース割当を試みることを特徴とする。
【０００９】
本発明に係る無線基地局においては、前記再送待ちデータ管理部は、再送待ちデータのデータ量の情報を記憶し、前記無線送信制御部は、データ量の少ない再送待ちデータから順に、無線リソース割当を試みることを特徴とする。
【００１０】
本発明に係る無線基地局においては、前記再送待ちデータ管理部は、再送待ちデータに係るＭＣＳの情報を記憶し、前記無線送信制御部は、無線リソースが不足する再送待ちデータに対し、ＭＣＳの高速化を行って無線リソース割当を試みることを特徴とする。
【００１１】
本発明に係る無線基地局においては、前記再送待ちデータ管理部は、再送待ちデータに係る再送遅延の情報を記憶し、前記無線送信制御部は、無線リソースが不足する再送待ちデータに対し、再送遅延を更新して再送時刻を延期することを特徴とする。
【００１２】
本発明に係る無線リソース割当方法は、無線端末との間で無線通信する無線基地局における無線リソース割当方法であって、無線端末へデータを送信するときに利用可能な無線リソースのリソース量を計算するステップと、無線端末へ再送する再送待ちデータに必要なリソース量を計算するステップと、無線リソースが不足する場合に、再送待ちデータに対して選択的に無線リソースを割り当てるステップと、を含むことを特徴とする。
【００１３】
本発明に係る無線リソース割当方法においては、ＱｏＳクラスに基づいて再送待ちデータに順位を付けるステップをさらに含み、より高品質のＱｏＳクラスの再送待ちデータから順に、無線リソース割当を試みることを特徴とする。
【００１４】
本発明に係る無線リソース割当方法においては、データ量に基づいて再送待ちデータに順位を付けるステップをさらに含み、データ量の少ない再送待ちデータから順に、無線リソース割当を試みることを特徴とする。
【００１５】
本発明に係る無線リソース割当方法においては、無線リソースが不足する再送待ちデータに対し、ＭＣＳの高速化を行って無線リソース割当を試みるステップをさらに含むことを特徴とする。
【００１６】
本発明に係る無線リソース割当方法においては、無線リソースが不足する再送待ちデータに対し、再送遅延を更新して再送時刻を延期するステップをさらに含むことを特徴とする。
【発明の効果】
【００１７】
本発明によれば、無線リソース不足となった場合に、再送要求を調整して無線リソース割当を行うことができるという効果が得られる。
【発明を実施するための最良の形態】
【００１８】
以下、図面を参照し、本発明の実施形態について説明する。
図１は、本発明の一実施形態に係る無線通信システムの全体構成を示す概念図である。図１において、無線基地局１は、無線端末２と無線接続し、ＰＨＹフレームを用いて無線端末２との間でデータを送受する。
【００１９】
また、無線基地局１は、ＩＰ（Internet Protocol）ネットワーク３と接続しており、無線端末２を宛先とするＩＰパケットをＩＰネットワーク３から受信して無線端末２へ転送したり、無線端末２からＩＰパケットを受信してＩＰネットワーク３へ転送したりする。ＩＰパケットは、物理層のパケット（以下、ＰＨＹパケット）に変換されて、無線基地局１と無線端末２の間で送受される。無線基地局１と無線端末２は、ＰＨＹパケットをＰＨＹフレームに格納して送受する。
【００２０】
無線端末２は、ＩＰパケットを利用する通信アプリケーションを有しており、ＩＰパケット通信を行う。その通信アプリケーションは、ＩＰパケット通信においてＱｏＳ（Quality of Service）クラスを要求する。図１の例では、ユーザＡの無線端末２は「ＱｏＳクラス  １」を要求しており、ユーザＢの無線端末２は「ＱｏＳクラス  １」を要求しており、ユーザＣの無線端末２は「ＱｏＳクラス  ０」を要求している。本実施形態では、ＱｏＳクラスの番号の大きい方がより高品質である。従って、「ＱｏＳクラス  ０」は最低品質、「ＱｏＳクラス  １」は「ＱｏＳクラス  ０」よりも高品質、「ＱｏＳクラス  ２」は「ＱｏＳクラス  １」よりも高品質など、となる。
【００２１】
図２は、本実施形態に係る無線基地局１の構成を示すブロック図である。図２において、無線基地局１は、ネットワークインタフェース１１と制御部１２と無線部１３とパケットバッファ１４を有する。
ネットワークインタフェース１１は、ＩＰネットワーク３との間でＩＰパケットを送受する。制御部１２は、無線端末２との間の無線通信を制御する。無線部１３は、無線端末２と無線接続し、ＰＨＹフレームを用いたデータの送受を行う。パケットバッファ１４は、無線端末２へ送信するＰＨＹパケット、及び、無線端末２から受信したＰＨＹパケットを一時的に蓄える。制御部１２は、ＩＰネットワーク３から受信されたＩＰパケットをＰＨＹパケットに変換してパケットバッファ１４に格納する。また、制御部１２は、無線端末２から受信されたＰＨＹパケットをパケットバッファ１４に一旦格納してＩＰパケットに変換する。
【００２２】
図３は、図２に示す制御部１２のうち、下りリンクの無線送信制御に係る構成を示すブロック図である。図３において、制御部１２は、無線送信制御部２１と無線リソース管理部２２と送信パケット管理部２３を有する。
無線送信制御部２１は、ＰＨＹフレームごとに、無線端末２へ送信するＰＨＹパケットに対する無線リソース割当を行う。無線送信制御部２１は、無線リソース割当の結果を無線部１３に通知するとともに、無線リソース割当の結果に従ってパケットバッファ１４内のＰＨＹパケットを無線部１３へ出力し、ＰＨＹパケットの無線送信を無線部１３に指示する。これにより、無線部１３は、無線リソース割当の結果に従って、無線送信制御部２１から受け取ったＰＨＹパケットをＰＨＹフレームに格納し、ＰＨＹフレームの無線送信を行う。
【００２３】
無線リソース管理部２２は、自無線基地局１が有する下りリンクの無線リソースを管理する。無線リソース管理部２２は、無線リソースの割当単位（リソースブロック）ごとに利用可否を管理し、リソース管理情報として、リソースブロックの識別子（リソースＩＤ）と利用可否の情報の組を記憶する。
なお、無線リソースとしては、例えばＯＦＤＭＡシステムの場合には、サブキャリアの周波数方向の割当単位と時間方向の割当単位から構成されるリソースブロックが定義される。
【００２４】
送信パケット管理部２３は、パケットバッファ１４に蓄積されているＰＨＹパケットのうち、無線端末２へ送信するＰＨＹパケットを管理する。送信パケット管理部２３は、ＰＨＹパケットごとに、送信管理情報を記憶する。図４に、送信パケット管理部２３の送信管理情報の構成例を示す。図４において、送信パケット管理部２３は、ＰＨＹパケットの識別子（パケットＩＤ）に関連付けて、ＰＨＹパケットのデータ量、無線端末２が要求するＱｏＳクラス、ＰＨＹパケットの送信状態、否定応答信号（ＮＡＣＫ）の受信時刻、ＰＨＹパケットに適用するＭＣＳ（Modulation Coding Scheme）、ＰＨＹパケットに適用する再送遅延、及び、ＰＨＹパケットの再送回数、の情報を記憶する。
【００２５】
ＰＨＹパケットの送信状態には、初回送信待ち、無線端末２からの応答（肯定応答信号（ＡＣＫ）又は否定応答信号（ＮＡＣＫ））待ち、再送待ち、及び、送信処理完了、がある。否定応答信号（ＮＡＣＫ）の受信時刻は、ＰＨＹパケットの前回の送信に対する否定応答信号（ＮＡＣＫ）の受信時刻であり、該否定応答信号（ＮＡＣＫ）を受信したＰＨＹフレームを示す。ＭＣＳは、無線部１３が送信するデータの符号化率及び変調方式を表す。つまり、ＭＣＳによって、ＰＨＹパケットがどの符号化率及びどの変調方式により送信されるのかが設定される。再送遅延は、否定応答信号（ＮＡＣＫ）の受信時点から再送時点までの時間であり、次回の再送時刻を算出するためのものである。否定応答信号（ＮＡＣＫ）の受信時刻に再送遅延を加えた時刻が次回の再送時刻となる。再送遅延の初期値は予め設定しておく。再送回数は、既に再送した回数を示す。
【００２６】
次に、図５を参照して、本実施形態に係る無線リソース割当処理全体の手順を説明する。図５は、図３に示す無線送信制御部２１が行う無線リソース割当処理の手順を示すフローチャートである。
無線送信制御部２１は、ＰＨＹフレームごとに、図５の処理を行う。図５において、ステップＳ１では、無線リソース管理部２２のリソース管理情報に基づいて、ＰＨＹパケットの送信に利用可能な無線リソースのリソースＩＤの集合Ｇｒを生成する。具体的には、リソース管理情報において利用可となっているリソースＩＤを抽出し、抽出したリソースＩＤのリストを作成する。このリストに含まれるリソースＩＤの集合が集合Ｇｒである。
【００２７】
ステップＳ２では、送信パケット管理部２３の送信管理情報に基づいて、今回のＰＨＹフレームで再送予定の再送待ちＰＨＹパケットに必要な総リソース量を計算する。今回のＰＨＹフレームで再送予定の再送待ちＰＨＹパケットは、送信状態が再送待ちであり、且つ、送信時刻に再送遅延を加えた時刻が今回のＰＨＹフレームの時刻となるもの、である。一ＰＨＹパケットに必要なリソース量は、ＰＨＹパケットのデータ量とＭＣＳと一リソースブロック当たりの最大伝送データ量から求める。一リソースブロック当たりの最大伝送データ量は、ＭＣＳに応じて異なるが、そのＭＣＳと一リソースブロック当たりの最大伝送データ量との対応関係の情報は予め保持しておく。これにより、ＭＣＳに対応する一リソースブロック当たりの最大伝送データ量が分かるので、あるＰＨＹパケットのデータ量を該最大伝送データ量で除すことにより、当該ＰＨＹパケットに必要なリソース量（リソースブロック数）を算出することができる。そして、今回のＰＨＹフレームで再送予定の再送待ちＰＨＹパケットの全てについて、その必要なリソース量（リソースブロック数）を合計する。この合計値が、今回のＰＨＹフレームで再送予定の再送待ちＰＨＹパケットに必要な総リソース量（リソースブロック総数）である。
【００２８】
ステップＳ３では、集合Ｇｒの総リソース量（リソースブロック総数）を計算する。集合Ｇｒに含まれるリソースＩＤの総数がリソースブロック総数である。
【００２９】
ステップＳ４では、ステップＳ２で計算した再送待ちＰＨＹパケットに必要な総リソース量と集合Ｇｒの総リソース量を比較する。この結果、集合Ｇｒの総リソース量が再送待ちＰＨＹパケットに必要な総リソース量に対して充足する場合（ステップＳ５、ＹＥＳ）にはステップＳ６に進み、一方、集合Ｇｒの総リソース量が再送待ちＰＨＹパケットに必要な総リソース量に対して不足する場合（ステップＳ５、ＮＯ）にはステップＳ７に進む。
【００３０】
ステップＳ６では、集合Ｇｒの総リソース量（つまり、利用可能な総リソース量）が再送待ちＰＨＹパケットに必要な総リソース量に対して充足するので、今回のＰＨＹフレームで再送予定の再送待ちＰＨＹパケットの全てに対してそれぞれの必要なリソース量を割り当てる。
【００３１】
ステップＳ７では、集合Ｇｒの総リソース量（つまり、利用可能な総リソース量）が再送待ちＰＨＹパケットに必要な総リソース量に対して不足するので、今回のＰＨＹフレームで再送予定の再送待ちＰＨＹパケットに対して選択的リソース割当を行う。この選択的リソース割当については後述する。
【００３２】
次いで、ステップＳ８では、再送待ちＰＨＹパケットに対するリソース割当後、利用可能な無線リソースの余り（剰余リソース）があるか判断する。この結果、剰余リソースがある場合（ステップＳ８、ＹＥＳ）には、ステップＳ９に進み、一方、剰余リソースがない場合（ステップＳ８、ＮＯ）には、図５の処理を終了する。
【００３３】
ステップＳ９では、初回送信待ちＰＨＹパケットに対して、剰余リソースを割り当てる。
【００３４】
次に、上記図５のステップＳ７の選択的リソース割当について、いくつかの実施例を挙げて説明する。
【実施例１】
【００３５】
図６は、本実施形態に係る選択的リソース割当処理の実施例１の手順を示すフローチャートである。実施例１では、無線端末２が要求するＱｏＳクラスに基づいて、無線リソースを割り当てる再送待ちＰＨＹパケットを選択する。
【００３６】
図６において、ステップＳ２１では、今回のＰＨＹフレームで再送予定の再送待ちＰＨＹパケットに対して、ＱｏＳクラスの番号の降順で順位を付ける。本実施形態では、ＱｏＳクラスの番号の大きい方がより高品質であるので、ステップＳ２１の結果、要求品質の高い順に順位付けされる。
【００３７】
ステップＳ２２では、順位を表す変数ｐに初期値「１」を設定する。
【００３８】
ステップＳ２３では、順位ｐの再送待ちＰＨＹパケットに必要なリソース量と集合Ｇｒで利用可能な無線リソースの残量（剰余リソース量）を比較する。この結果、剰余リソース量が順位ｐの再送待ちＰＨＹパケットに必要なリソース量に対して充足する場合（ステップＳ２４、ＹＥＳ）にはステップＳ２８に進み、一方、剰余リソース量が順位ｐの再送待ちＰＨＹパケットに必要なリソース量に対して不足する場合（ステップＳ２４、ＮＯ）にはステップＳ２５に進む。
【００３９】
ステップＳ２５では、剰余リソース量が順位ｐの再送待ちＰＨＹパケットに必要なリソース量に対して不足するので、該再送待ちＰＨＹパケットのＭＣＳを高速化することにより、所要リソース量の削減を行う。ＭＣＳは当該再送待ちＰＨＹパケットに適用される符号化率及び変調方式を示すので、符号化率を上げるか、又は、より伝送密度の高い変調方式に変更するように、ＭＣＳを変更する。これにより、一リソースブロック当たりの最大伝送データ量が増えるので、順位ｐの再送待ちＰＨＹパケットに必要なリソース量が削減される。
なお、ＭＣＳは無線端末２の無線伝搬環境に応じて適切なものに決定されているので、ＭＣＳを高速化すると、無線端末２でのデータ受信が失敗する確率が高くなる。従って、ＭＣＳの変更の度合いとしては、前回送信時のＭＣＳに対して１段階の高速化に留めることが望ましい。
【００４０】
次いで、ステップＳ２６では、ステップＳ２５で削減された順位ｐの再送待ちＰＨＹパケットに必要なリソース量と集合Ｇｒの剰余リソース量を比較する。この結果、剰余リソース量が順位ｐの再送待ちＰＨＹパケットに必要なリソース量に対して充足する場合（ステップＳ２７、ＹＥＳ）にはステップＳ２８に進み、一方、まだ剰余リソース量が順位ｐの再送待ちＰＨＹパケットに必要なリソース量に対して不足する場合（ステップＳ２７、ＮＯ）にはステップＳ２９に進む。
【００４１】
ステップＳ２８では、集合Ｇｒの剰余リソース量が順位ｐの再送待ちＰＨＹパケットに必要なリソース量に対して充足するので、該再送待ちＰＨＹパケットに対して必要なリソース量を割り当てる。
【００４２】
一方、ステップＳ２９では、集合Ｇｒの剰余リソース量が順位ｐの再送待ちＰＨＹパケットに必要なリソース量に対して不足するので、該再送待ちＰＨＹパケットを今回のＰＨＹフレームで再送することは断念し、該再送待ちＰＨＹパケットの再送遅延を更新する。この再送遅延の更新方法としては、現在の再送遅延に調整値を加算して次回の再送遅延とする。該調整値は、一定の時間であってもよく、或いは、一定の範囲の時間の中から無作為に選択してもよい。
【００４３】
ステップＳ３０では、変数ｐに１を加算する。ステップＳ３１では、新たな順位ｐの再送待ちＰＨＹパケットがあるか判断する。この結果、新たな順位ｐの再送待ちＰＨＹパケットがある場合（ステップＳ３１、ＹＥＳ）には、ステップＳ２３に戻り、図６の処理を継続する。一方、新たな順位ｐの再送待ちＰＨＹパケットがない場合（ステップＳ３１、ＮＯ）には、図６の処理を終了する。
【００４４】
本実施例１では、ＱｏＳクラスの番号の大きい方、つまり要求品質の高い方から順に、再送待ちＰＨＹパケットに対する無線リソース割当を試みる。そして、無線リソース不足の再送待ちＰＨＹパケットに対しては、ＭＣＳの高速化によって所要リソース量の削減を行う。そして、所要リソース量を削減しても無線リソース不足を解消することができない再送待ちＰＨＹパケットに対しては、再送遅延を更新し、再送時刻を延期する。本実施例１によれば、無線リソース不足となった場合に、要求品質の高い再送待ちＰＨＹパケットをできる限り早く再送するようにと、再送要求を調整して無線リソース割当を行うことができる。
【実施例２】
【００４５】
図７は、本実施形態に係る選択的リソース割当処理の実施例２の手順を示すフローチャートである。実施例２では、再送待ちＰＨＹパケットに必要なリソース量に基づいて、無線リソースを割り当てる再送待ちＰＨＹパケットを選択する。図７において、上記図６の実施例１と異なる部分は、ステップＳ４１のみである。ステップＳ４１では、今回のＰＨＹフレームで再送予定の再送待ちＰＨＹパケットに対して、必要なリソース量の昇順で順位を付ける。ステップＳ４１の結果、所要リソース量が少ない順に順位付けされる。以降のステップＳ２２〜Ｓ３２は、上記図６の実施例１と同じである。
【００４６】
本実施例２では、所要リソース量の少ない方から順に、再送待ちＰＨＹパケットに対する無線リソース割当を試みる。そして、無線リソース不足の再送待ちＰＨＹパケットに対しては、ＭＣＳの高速化によって所要リソース量の削減を行う。そして、所要リソース量を削減しても無線リソース不足を解消することができない再送待ちＰＨＹパケットに対しては、再送遅延を更新し、再送時刻を延期する。本実施例２によれば、無線リソース不足となった場合に、できる限り多くの再送待ちＰＨＹパケットを再送するようにと、再送要求を調整して無線リソース割当を行うことができる。
【００４７】
以上、本発明の実施形態について図面を参照して詳述してきたが、具体的な構成はこの実施形態に限られるものではなく、本発明の要旨を逸脱しない範囲の設計変更等も含まれる。
例えば、本発明は、ＯＦＤＭＡシステムなど、各種の無線通信システムに適用することができる。
【図面の簡単な説明】
【００４８】
【図１】本発明の一実施形態に係る無線通信システムの全体構成を示す概念図である。
【図２】図１に示す無線基地局１の構成を示すブロック図である。
【図３】図２に示す制御部１２のうち、下りリンクの無線送信制御に係る構成を示すブロック図である。
【図４】図３に示す送信パケット管理部２３の送信管理情報の構成例である。
【図５】図３に示す無線送信制御部２１が行う無線リソース割当処理の手順を示すフローチャートである。
【図６】図３に示す無線送信制御部２１が行う選択的リソース割当処理の実施例１の手順を示すフローチャートである。
【図７】図３に示す無線送信制御部２１が行う選択的リソース割当処理の実施例２の手順を示すフローチャートである。
【図８】無線通信システムの物理層における再送遅延を説明するための概念図である。
【符号の説明】
【００４９】
１…無線基地局、２…無線端末、３…ＩＰネットワーク、１１…ネットワークインタフェース、１２…制御部、１３…無線部、１４…パケットバッファ、２１…無線送信制御部、２２…無線リソース管理部、２３…送信パケット管理部（再送待ちデータ管理部）
【図１】
2010056754.tif 000003
【図２】
2010056754.tif 000004
【図３】
2010056754.tif 000005
【図４】
2010056754.tif 000006
【図５】
2010056754.tif 000007
【図６】
2010056754.tif 000008
【図７】
2010056754.tif 000009
【図８】
2010056754.tif 000010